(57)【要約】 【課題】  本発明は、何度も繰り返し練習することが可能で、余計な費用や手間が掛からないヘアカットの練習用具を提供することを目的とするものである。【解決手段】  本発明は、ヘアカットするためのハサミ及びクシと、前記ハサミ及びクシの動作を感知し仮想空間の計算を行うコンピュータと、前記コンピュータの計算結果を映し出す眼鏡型モニタとからなり、前記眼鏡型モニタに映し出された仮想の毛髪を前記ハサミ及びクシを用いてカット等すると、前記コンピュータが計算して前記眼鏡型モニタの映像に反映することを特徴とするバーチャルカットモデル装置の構成とした。【選択図】  図１
2005346313.tif 000002
【特許請求の範囲】
【請求項１】
ヘアカットするためのハサミ及びクシと、前記ハサミ及びクシの動作を感知し仮想空間の計算を行うコンピュータと、前記コンピュータの計算結果を映し出す眼鏡型モニタとからなり、前記眼鏡型モニタに映し出された仮想の毛髪を前記ハサミ及びクシを用いてカット等すると、前記コンピュータが計算して前記眼鏡型モニタの映像に反映することを特徴とするバーチャルカットモデル装置。
【発明の詳細な説明】
【技術分野】
【０００１】
本発明は、美容師や理容師が、ヘアカットの練習のために利用するバーチャルカットモデル装置に関する発明である。
【背景技術】
【０００２】
従来において、美容師や理容師がヘアカットの練習する際には、人頭模型に毛髪を植設した練習用具が使用されていた。しかし、一度毛髪を使い切ってしまうと人頭模型も廃棄することとなるため、特許文献１記載の発明のように、基材に毛髪を植設し、基材を毛髪のない人頭模型に着脱可能とすることで、基材の交換のみで人頭模型は何度も利用できるようにした発明も公開されている。
【特許文献１】特開２０００−３４２３３３号公報
【発明の開示】
【発明が解決しようとする課題】
【０００３】
しかしながら、基材は消耗品であるため、一度使用すれば交換しなければならず、何度も練習すると費用が嵩んでしまう。また、基材及びカットした毛髪がゴミとして発生するため、掃除等の手間が掛かってしまう。
【０００４】
そこで、本発明は、何度も繰り返し練習することが可能で、余計な費用や手間が掛からないヘアカットの練習用具を提供することを目的とするものである。
【課題を解決するための手段】
【０００５】
本発明は、上記の課題を解決するために、ヘアカットするためのハサミ及びクシと、前記ハサミ及びクシの動作を感知し仮想空間の計算を行うコンピュータと、前記コンピュータの計算結果を映し出す眼鏡型モニタとからなり、前記眼鏡型モニタに映し出された仮想の毛髪を前記ハサミ及びクシを用いてカット等すると、前記コンピュータが計算して前記眼鏡型モニタの映像に反映することを特徴とするバーチャルカットモデル装置の構成とした。
【発明の効果】
【０００６】
本発明は、以上の構成であるから以下の効果が得られる。第１に、仮想空間内の毛髪であるため、ヘアカットが済んでも、初期状態に戻すことで再び練習を行うことが可能であり、実際の毛髪を補充する必要はない。
【０００７】
第２に、仮想空間内でヘアカットしても、実際に毛髪が散らばることはないので掃除等をする必要はなく、美容室や理容室でない自宅の部屋など場所を選ばず練習を行うことができる。
【発明を実施するための最良の形態】
【０００８】
仮想空間の計算を行うコンピュータは、眼鏡型モニタに内蔵され、ハサミ及びクシの動作状況は無線により情報を取得する。また、電源についても、回路を眼鏡型モニタに内蔵させ、電池等により供給する。
【実施例１】
【０００９】
以下に、添付図面に基づいて、本発明であるバーチャルカットモデル装置について詳細に説明する。図１は、本発明であるバーチャルカットモデル装置の機器の構成を示す図である。
【００１０】
本願発明であるバーチャルカットモデル装置１は、ヘアカットするためのハサミ及びクシ４と、ハサミ及びクシ４の動作を感知し、仮想空間の計算を行うコンピュータ２と、コンピュータ２の計算結果を映し出す眼鏡型モニタ３とからなり、眼鏡型モニタ３に映し出された仮想の毛髪をハサミ及びクシ４を用いてカット等すると、コンピュータ２が計算して眼鏡型モニタ３の映像に反映する。
【００１１】
コンピュータ２は、バーチャルカットモデル装置１を実現するための仮想空間を作り上げるためのもので、一般的なコンピュータ同様、中央処理装置（ＣＰＵ）、主記憶装置（メモリ）、補助記憶装置（ハードディスク等）、入力装置、出力装置等からなる。
【００１２】
バーチャルカットモデル装置１のプログラム等の必要な情報は主記憶装置上に置かれ、仮想空間を構築したり、利用者の動作を反映する等は、必要に応じて中央処理装置が計算２ａを行う。必要な情報を退避したり、処理結果を保管しておく際は、補助記憶装置に記録しておく。
【００１３】
眼鏡型モニタ３は、コンピュータ２が作り上げた仮想空間を映像として表示し、コンピュータ２が計算した結果を仮想空間内に反映するもので、出力装置に該当する。コンピュータ２からは、常に眼鏡型モニタ３に対して出力３ａが行われる。
【００１４】
ハサミ及びクシ４は、コンピュータ２が作り上げた仮想空間に対して、動作を加えるもので、入力装置に該当する。ハサミ及びクシ４の動作は、コンピュータ２に計算２ａのきっかけを与えるもので、コンピュータ２は、ハサミ及びクシ４の入力４ａを待ち、受け付ける状態である。
【００１５】
仮想空間計算用のコンピュータ２が小型化できれば、眼鏡型モニタ３に組み込むことが可能となるし、ハサミ及びクシ４の動作をセンサー等で感知できれば無線で行うことができ、余計な配線等を省くことができる。
【００１６】
図２は、本発明であるバーチャルカットモデル装置の出力装置である眼鏡型モニタを示す斜視図である。眼鏡型モニタ３は、本体３ｂ、左表示窓３ｃ、右表示窓３ｄ、左耳掛け３ｅ、右耳掛け３ｆ及び溝３ｇからなる。
【００１７】
本体３ｂは、眼鏡のフレームにあたる部分で、左右の目の位置には左表示窓３ｃ及び右表示窓３ｄが存在し、左右端からはそれぞれ左耳掛け３ｅ及び右耳掛け３ｆがほぼ垂直に出ており、中央下部には溝３ｇが空いている。
【００１８】
左表示窓３ｃ及び右表示窓３ｄは、コンピュータ２が作り出した仮想空間を映像として映し出す場所であり、左右両目を当てて覗き込むことで見ることができる。仮想空間内にはヘアカットの練習を行うために必要な情報が表示される。
【００１９】
左耳掛け３ｅ及び右耳掛け３ｆは、眼鏡型モニタ３が落下しないように、左右両耳に掛けるためのものである。眼鏡型モニタ３が動いたりせず安定するように、耳の部分を若干折り曲げ、しっかり留められるようにする。
【００２０】
溝３ｇは、鼻の部分を空けたもので、鼻を当てることで眼鏡型モニタ３を固定することもできる。尚、溝３ｇが無いと、鼻があるため眼鏡型モニタ３と両目の間が空いてしまい、見えづらくなる。
【００２１】
図３は、本発明であるバーチャルカットモデル装置の入力装置であるハサミ及びクシを示す平面図である。ハサミ及びクシ４は、ハサミ４ｂとクシ４ｃからなるが、その他にヘアカット等に用いる器具を用意することも可能である。
【００２２】
ハサミ４ｂは、美容室や理容室で一般的に用いられているものと同様で、左刃４ｄと右刃４ｅを支点４ｆで合わせたものである。右ききであれば、左孔４ｇに親指、右孔４ｈに中指を通して扱う。
【００２３】
クシ４ｃも、美容室や理容室で一般的に用いられているものと同様で、縁部４ｉを持って、櫛部４ｊで髪を梳かしたり、髪を切る際にすくい上げたりする。
【００２４】
ハサミ４ｂ及びクシ４ｃは、仮想空間内で認識し、動作を伝達するため、通信手段が必要となる。現在の位置を把握し、動作状況を取得するために、センサーを備え付け、無線で情報を送るようにすることが好ましい。
【００２５】
図４は、本発明であるバーチャルカットモデル装置の使用状況を示す図である。使用時５において、利用者５ａは、普通の眼鏡と同様にして眼鏡型モニタ３を掛け、右手５ｃにハサミ４ｂ、左手５ｂにクシ４ｃを持つ。
【００２６】
眼鏡型モニタ３には、コンピュータ２から仮想空間の映像が送られ、利用者５ａは両目で見ることができる。仮想空間は、現実の空間と同様に立体的に表現されているので、利用者５ａは、仮想空間内の物体等を立体的に確認することができる。
【００２７】
ハサミ４ｂ及びクシ４ｃからは、現在の位置や状態をコンピュータ２に送り、コンピュータ２が計算を行うことで、仮想空間内の位置や状態も実際のものと同じになるように合わせられる。
【００２８】
図５は、本発明であるバーチャルカットモデル装置の利用者の視界を示す図である。眼鏡型モニタ３を掛けた利用者５ａの視界６には、表示枠６ａ内のように仮想空間が映し出される。
【００２９】
仮想空間内には、仮想の人頭模型６ｂが存在し、ハサミ及びクシ４の位置を感知し、ハサミ４ｂを持つ右手５ｃ及びクシ４ｃを持つ左手５ｂも表示される。仮想空間内では、ハサミ及びクシ４の実際の動作を忠実に再現する。
【００３０】
仮想の人頭模型６ｂは立体的に表現されており、向きなども自由に変えることができる。ハサミ及びクシ４で人頭模型６ｂに対して動作を起こすと、コンピュータ２が実際の動作におけるのと同様の動作を計算により導き出し、それを映像へと反映する。
【００３１】
人頭模型６ｂに対して、ハサミ４ｂによって髪の毛を切る動作を行えば、それに応じて人頭模型６ｂの髪の毛も切られたものへと変化する。
【００３２】
一度練習が終わり、ヘアカット済となった人頭模型６ｂも、バーチャルカットモデル装置１のシステムを初期状態に戻せば、ヘアカット前の人頭模型６ｂに戻すことができ、再度練習を行うことができる。
【００３３】
ヘアカット前の人頭模型６ｂもあらかじめ複数の髪型や髪質の情報をバーチャルカットモデル装置１のシステムの方に登録しておけば、バリエーション豊かな練習を行うことができる。
【００３４】
更に、希望の髪型へカットしたい場合に、注意事項やヒントなどを眼鏡型モニタ３上に表示させて確認できるようにするなど、練習する際に大いに役に立つヘルプ機能を充実させることもできる。
【００３５】
以上のように、本発明であるバーチャルカットモデル装置１では、仮想空間内の毛髪であるため、ヘアカットが済んでも、初期状態に戻すことで再び練習を行うことが可能であり、実際の毛髪を補充する必要はない。
【００３６】
また、仮想空間内でヘアカットしても、実際に毛髪が散らばることはないので掃除等をする必要はなく、美容室や理容室でない自宅の部屋など場所を選ばず練習を行うことができる。
【産業上の利用可能性】
【００３７】
ヘアカットの練習以外に、カールの練習も行えるようにしたりと、髪を扱う様々な作業に対して応用することが考えられる。
【図面の簡単な説明】
【００３８】
【図１】本発明であるバーチャルカットモデル装置の機器の構成を示す図である。
【図２】本発明であるバーチャルカットモデル装置の出力装置である眼鏡型モニタを示す斜視図である。
【図３】本発明であるバーチャルカットモデル装置の入力装置であるハサミ及びクシを示す平面図である。
【図４】本発明であるバーチャルカットモデル装置の使用状況を示す図である。
【図５】本発明であるバーチャルカットモデル装置の利用者の視界を示す図である。
【符号の説明】
【００３９】
１        バーチャルカットモデル装置
２        コンピュータ
２ａ      計算
３        眼鏡型モニタ
３ａ      出力
３ｂ      本体
３ｃ      左表示窓
３ｄ      右表示窓
３ｅ      左耳掛け
３ｆ      右耳掛け
３ｇ      溝
４        ハサミ及びクシ
４ａ      入力
４ｂ      ハサミ
４ｃ      クシ
４ｄ      左刃
４ｅ      右刃
４ｆ      支点
４ｇ      左孔
４ｈ      右孔
４ｉ      縁部
４ｊ      櫛部
５        使用時
５ａ      利用者
５ｂ      左手
５ｃ      右手
６        視界
６ａ      表示枠
６ｂ      人頭模型
【図１】
2005346313.tif 000003
【図２】
2005346313.tif 000004
【図３】
2005346313.tif 000005
【図４】
2005346313.tif 000006
【図５】
2005346313.tif 000007